(57)【要約】【課題】他物に当たったり乱暴な使用をしても、割れや破損等が生じ難く、かつ曲げ等の外力が作用しても、癖が付き難い構成の釣り用収納体を提供する。【解決手段】本発明に係る釣り用収納体は、硬さの異なる合成樹脂シート１５Ａ，１５Ｂを重ね合わせて熱圧変形した積層構造を有することを特徴とする。【選択図】    図２
2006204116.tif 000002
【特許請求の範囲】
【請求項１】
硬さの異なる合成樹脂シートを重ね合わせて押圧して変形した積層構造を有することを特徴とする釣り用収納体。
【請求項２】
表面側の合成樹脂シートは裏面側の合成樹脂シートより柔らかい材料であることを特徴とする請求項１に記載の釣り用収納体。
【請求項３】
前記硬さの異なる合成樹脂シートのうち、柔らかい合成樹脂シートは、多孔質に形成されていることを特徴とする請求項１又は２に記載の釣り用収納体。
【請求項４】
前記硬さの異なる合成樹脂シートは、重ね合わせた面の対向位置が変移可能に添設されていることを特徴とする請求項１乃至３のいずれか１項に記載の釣り用収納体。
【請求項５】
前記硬さの異なる合成樹脂シートは、重ね合わせた面がずれて夫々独立して変移可能であることを特徴とする請求項１乃至４のいずれか１項に記載の釣り用収納体。
【請求項６】
前記硬さの異なる合成樹脂シートは、互いに合致した形状に形成されていることを特徴とする請求項１乃至５のいずれか１項に記載の釣り用収納体。
【請求項７】
前記硬さの異なる合成樹脂シートは、互いに周辺部で止着されていることを特徴とする請求項１乃至６のいずれか１項に記載の釣り用収納体。
【発明の詳細な説明】
【技術分野】
【０００１】
本発明は、釣り用に用いられる収納体、例えば、仕掛けやリール等、魚釣りに際して携行される各種の用品、魚、餌等を収納するバッグ、或いは釣竿などを収納するケースに代表される釣り用収納体に関する。
【背景技術】
【０００２】
従来の釣り用収納体は、例えば、特許文献１に開示されているように、その多くが硬質の合成樹脂（プラスチックなど）で成型されていたり、或いは、特許文献２等に開示されているように、合成樹脂製の板体の外側に柔軟性を有するシートを接着する等して構成されている。
【特許文献１】実用新案登録第３００８４２８号
【特許文献２】特開平６−１５６５４３号
【発明の開示】
【発明が解決しようとする課題】
【０００３】
しかし、上記した特許文献１に開示されているような硬質の合成樹脂で成型されている収納体は、他物に当たったり乱暴な使用をすると割れ、破損等が生じ易いという問題がある。また、上記した特許文献２に開示されているような収納体は、曲げ等の外力が作用すると癖が付き易く、一度歪むと歪んだまま元に戻り難いという問題がある。
【０００４】
本発明は、上記した問題に基づいてなされたものであり、他物に当たったり乱暴な使用をしても、割れや破損等が生じ難く、かつ曲げ等の外力が作用しても、癖が付き難い構成の釣り用収納体を提供することを目的とする。
【課題を解決するための手段】
【０００５】
上記した目的を達成するために、本発明に係る釣り用収納体は、硬さの異なる合成樹脂シートを重ね合わせて押圧して変形した積層構造を有することを特徴とする。
【０００６】
上記したように、硬さの異なる合成樹脂シートを重ね、これを押圧して変形すると、両者は接着することなく、互いに多少の遊びを持った状態（互いにずれることができるような状態）で密着するようになる。このため、外部から力が作用しても、両者の間の境界部分で衝撃が緩和され、割れや破損等が効果的に抑制されるようになる。また、上記したような遊びを有することで、合成樹脂シート部分に変形などが生じても、両者が接着されているものと比較して、元の状態に復帰し易くなり、癖や歪みが付くことが抑制されるようになる。
【０００７】
なお、上記した構成において、硬さの異なる合成樹脂シートは、互いの硬さが異なる（材料の硬度が異なる）合成樹脂が用いられ、例えば、ＡＢＳ樹脂、ＰＰ（ポリプロピレン）、ＰＥＴ（ポリエチレンテレフタレート）、ナイロン、ＰＶＣ（ポリ塩化ビニル）、ＥＶＡ(エチレン酢酸ビニル)等を用いることが可能である。この場合、各合成樹脂シートの厚さや、異なる硬度の組み合わせについては特に限定されることはないが、両者を重ね合わせて熱圧変形させた場合、両者が接着することなく、互いの境界部分（界面部分）が面方向に沿ってずれが生じるようなものであれば良い。また、各合成樹脂シートは、それ自身、単独で用いても良いし、表面部分に織布を被着したり、合成樹脂コーティングを施す等、表面加工を施しても良い。更には、合成樹脂に発泡性を与えても良い。
【発明の効果】
【０００８】
本発明によれば、他物に当たったり乱暴な使用をしても、割れや破損等が生じ難く、かつ曲げ等の外力が作用しても、癖が付き難い構成の釣り用収納体が得られる。
【発明を実施するための最良の形態】
【０００９】
図１から図６は、本発明の第１の実施形態を示す図であり、図１は、釣り用収納体である収納バッグの全体構成を示す斜視図、図２は、図１のＡ線に沿った断面図、図３は、蓋体部分の製造方法（成型前）を説明する断面図、図４は、蓋体部分の製造方法（成型後）を説明する断面図、図５は、成型された蓋体の拡大断面図、そして、図６は、成型された蓋体に負荷が生じた状態を示す拡大断面図である。
【００１０】
本実施形態に係る収納バッグ１は、上方に矩形の開口２ａを有する箱型のケース本体２と、このケース本体２の前面及び後面に設けられた一対のハンドル３とを有している。本実施形態におけるケース本体２は、開口２ａを形成すべく矩形に屈曲されたフレーム材２ｆに、薄い合成樹脂シートの端部を１８０°折り返してその先端を止着し、これを箱型で自立性を有するように成型することで構成されている。なお、ケース本体２は、例えば、所定の硬度を有し熱圧変形可能な合成樹脂材で箱型に成型されたもの、或いは、後述するような積層構造で箱型に成型されたものであっても良い。また、ケース本体２は、保冷機構を備えたものであっても良いし、発泡性を有する材料によって構成されたものであっても良い。
【００１１】
ケース本体２には、上方の開口２ａを閉塞する蓋体５が、ケース本体２にヒンジ（図示せず）を介して取り付けられており、蓋体５の周辺はチャック７で開口２ａの周縁に沿って開閉自在に留めることができるように構成されている。具体的には、蓋体５の天部５ａの周辺には、下方に垂下するようにスカート部５ｂが形成されており、このスカート部５ｂは、ケース本体２の上端部外周を覆うようになっている。また、前記チャック７は、その一方がスカート部５ｂの端部裏面に止着された蓋体側接合片５ｃに、他方がケース本体２の折り曲げられた端部に止着されたケース本体側接合片２ｃに取り付けられており、両者が連結されることでケース本体２に蓋体５が覆われた状態で装着される。
【００１２】
上記した蓋体５は、図３及び図４に示すように、矩形で大きさが略同じで硬さの異なる（材料の硬度が異なる）合成樹脂シート１５Ａ，１５Ｂを重ね、これを、金型の凹部５０ａが形成された上型５０、及び凹部５０ａに入り込む凸部５１ａが形成された下型５１間で押圧して変形することで成型される。
【００１３】
本実施形態では、表面側に柔らかい（硬度が低い）合成樹脂シート１５Ａを配置し、裏面側に硬い（硬度が高い）合成樹脂シート１５Ｂを配置しており、これらを重ねて上型５０及び下型５１の間で加熱して合成樹脂シート１５Ａ，１５Ｂをともに軟化させ、押圧して変形することで周縁を屈曲させ、下方に垂下するスカート部５ｂを形成している。すなわち、上下に添設された合成樹脂シート１５Ａ，１５Ｂは、天部５ａからスカート部５ｂにかけて、互いに合致する形状に湾曲形成されている。なお、表面側の合成樹脂シート１５Ａは、図３に示すように、多孔質なシート（発泡性を有するシート）１５ａの両側に、織布、或いは合成樹脂による表層１５ｂを被着することで形成されており、硬度が高い合成樹脂シート１５Ｂは、硬度が低い合成樹脂シート１５Ａよりも薄肉厚に形成されている。
【００１４】
そして、このようにして熱圧変形（加熱、押圧して変形すること）で成型された蓋体５のスカート部５ｂの先端である周縁部は、両シートが互いに剥がれないように、例えば、縫着することで止着されている（止着部を符号２０で示す）。
【００１５】
上記したように成型された蓋体５は、図５に示すように、両シート１５Ａ，１５Ｂの対向面が接着することはなく、添設された、面接触した状態、又は僅かな隙間を有して向かい合った状態となっている。すなわち、両シート１５Ａ，１５Ｂは、合致する形状に互いに沿った状態で湾曲形成されるとともに、周縁部を止着した上記止着部２０によって分離して脱落することが防止され、かつ両方の対向面は、相手側シートの対向面に対して変移可能な状態となっている。
【００１６】
このため、図５に示すように、負荷が生じていない状態で両シート１５Ａ，１５Ｂの互いに対向する点Ｐ，Ｑは、負荷によって歪みが生じると、図６に示すように、伸びが大きい硬度の低いシート１５Ａは、伸びが小さい硬度が高いシート１５Ｂよりも変移量が大きくなり、点ＰとＱは、図５に示す対向位置からずれるようになる。この場合、両シート１５Ａ，１５Ｂは、互いの対向する点が相互に変移するように構成されていても良いし、一方のシートが相手側のシートの面に対して、独立して変移可能となるように構成されていても良い。
【００１７】
上記したように構成される蓋体５を有する収納バッグ１によれば、蓋体部分に対して、衝撃等が加わっても、上記した両シート１５Ａ，１５Ｂ間においてずれが生じ易く、歪んだときに変移することが可能であることから、両シートの間の境界部分で、その衝撃が吸収、乃至は緩和され、衝撃部分で割れが生じたり、破損などが生じることを効果的に抑制することが可能になる。特に、図５及び図６に示すように、蓋体に重量物を載せるなどして湾曲させるような応力が加わっても、両シートが境界部分で効果的に変移するため、破損等が効果的に防止されると共に、硬度が高い樹脂シートを積層していることから、撓んでも癖が付き難く、応力がなくなると元の形態に戻り易い。
【００１８】
また、本実施形態では、表面側の合成樹脂シートが柔らかい材料で構成されていることから、硬いプラスチック等の場合と比較して表面部分における割れが生じ難く、また、他物に当たった際の衝撃が緩和されると共に、感触も向上する。さらに、上記した実施形態では、柔らかい樹脂シートとして、多孔質な材料を用いているため、軽量化が図れるようになる。もちろん、柔らかい樹脂シートは、多孔質を有することなく、ゴムのような弾性を有するシート状の部材を用いても良い。
【００１９】
さらに、上記したような熱圧変形を行なうことで、スカート部５ｂを湾曲させて、両シート１５Ａ，１５Ｂを合致した形状に成型することが可能であり、このような湾曲部分を複数箇所設けておくことで、両シート１５Ａ，１５Ｂを互いに沿った状態を維持しやすくすることが可能となる。もちろん、上記した実施形態のように、スカート部５ｂの先端部分（周辺部）を縫着等によって止着することで、両シートが分離して脱落することを効果的に防止することが可能となる。
【００２０】
なお、上記したような止着部２０は、重ね合わせた両シートの適所に設けておくことが可能である。例えば、熱圧変形された両シートを、一旦剥離して適所に接着剤を塗布したり、一方のシートに開口や孔を形成しておき、熱圧変形時に他方のシートの材料を、その開口や孔に溶融させる等して両者の応力がなくなっても元の形態に戻らないような大きな位置ずれを防止するようにしても良い。止着部２０は重ね合わせた両シートに部分的に設けることで重ね合わせた面の対向位置が変移可能になる。
【００２１】
図７から図１０は、本発明の第２の実施形態を示す図であり、図７は、釣り用収納体である収納バッグの全体構成を示す斜視図、図８は、図７のＢ線に沿った断面図、図９は、蓋体部分の製造方法（成型前）を説明する断面図、そして、図１０は、蓋体部分の製造方法（成型後）を説明する断面図である。
【００２２】
本実施形態では、上記した実施形態の蓋体構造において、硬度の小さいシート１５Ａの天部５ａの中央部に予め矩形の窓１５ｄを形成しておき、ここに、下側に重ねた硬度の大きいシート１５Ｂに形成された矩形の突部１５ｅを嵌入するように構成されている。この場合、突部１５ｅは、天部５ａの下面よりも高さが低くなるように形成された略矩形の底部２５ａから、周辺を高くするように土手状に形成されており、これらの突部１５ｅ及び底部２５ａによって、天部５ａの中央領域が下方に窪んだトレー（収容部）２５を形成している。
【００２３】
このような構成の蓋体５は、図９及び図１０に示すように、矩形で大きさが略同じの硬さの異なる（材料の硬度が異なる）合成樹脂シート１５Ａ，１５Ｂを重ねると共に、表面側となる柔らかい合成樹脂シート１５Ａの略中央部に矩形の窓１５ｄを形成しておき、これを、上型６０、及び下型６１間で熱圧変形（加熱して、押圧して変形すること）することで成型される。上記した上型６０には、スカート部を形成すべく凹部６０ａが形成されると共に、その中央部にトレーの収容部を形成すべく、前記窓１５ｄを挿通させる略矩形の突部６０ｂが形成されている。また、上型６０には、その突部６０ｂの周囲に、前記突部１５ｅを形成すべく、溝６０ｃが形成されている。
【００２４】
一方、下型６１には、前記上形０の凹部６０ａに対応する突部６１ａが形成されると共に、上記した突部６０ｂに対応するように突部６１ａの略中央に凹部６１ｂが形成されている。また、下型６１には、その凹部６１ｂ周囲に、上記した上型６０に形成された溝６０ｃに対応した突部６１ｃが形成されている。
【００２５】
そして、上記したように構成された上型６０と下型６１との間に、表面側に硬度が低い合成樹脂シート１５Ａを配置し、裏面側に硬度が高い合成樹脂シート１５Ｂを配置し、かつ前記窓１５ｄを前記突部６０ｂに対応するように重ねて、上型６０及び下型６１の間で熱圧変形を行なう。これにより、蓋体５の中央領域が屈曲して前記トレー２５が形成されると共に、周辺も屈曲されて、下方に垂下するスカート部５ｂが形成される。すなわち、上記した熱圧変形によって、上下に添設された合成樹脂シート１５Ａ，１５Ｂには、天部５ａの中央部に、互いに合致する形状に湾曲形成されたトレー２５が形成されると共に、周囲に下方に垂下するスカート部５ｂが形成される。
【００２６】
この場合、上記した両シート１５Ａ，１５Ｂの周辺部（スカート部先端）は、縫着されて止着されており、上記した実施形態と同様、両シートが分離して脱落しないように構成されている。また、必要に応じて、トレー２５部分がずれ難くなるように、突部１５ｅの周囲に、両シート１５Ａ，１５Ｂを接着剤等によって止着しておいても良い（止着部を符号２０ａで示す）。なお、このような止着部２０ａは、熱圧変形前に両シート間に接着剤を塗布しておいたり、或いは、熱圧変形後、両者を剥がして接着剤を塗布しても良い。
【００２７】
上記した構成の蓋体を備えた収納バッグ１によれば、上述した実施形態と同様な作用効果が得られることに加え、窓１５ｄに突部１５ｅが嵌合されている（差し込まれている）ことで、上下シートの大きな位置ずれが防止できるようになる。また、天部５ａに、中央が窪んだトレーが形成されることで、釣用の小物を入れておくのに便利となる。
【００２８】
図１１は、本発明の第３の実施形態を示す図であり、収納バッグの主要部の断面構造を示す図である。
【００２９】
本実施形態では、硬度の高い合成樹脂シート１５Ｂの両側に、硬度の低い合成樹脂シート１５Ａを重ねている。なお、両側に重ねられる合成樹脂シート１５Ａは、上述した実施形態と同様、多孔質なシート（発泡性を有するシート）１５ａの両側に、織布、或いは合成樹脂による表層１５ｂを被着することで形成されており、硬度が高い合成樹脂シート１５Ｂは、硬度が低い合成樹脂シート１５Ａよりも薄肉厚に形成されている。
【００３０】
このような構成によれば、硬度が高い合成樹脂シート１５Ｂの割れ、破損等を、上下から防止することが可能となる。
【００３１】
図１２は、本発明の第４の実施形態を示す図であり、収納バッグの主要部の断面構造を示す図である。
【００３２】
この実施形態では、上記した第１の実施形態とは逆に、表側に硬度が高い合成樹脂シート１５Ｂを、裏側に硬度が低い合成樹脂シート１５Ａを配置し、これを熱圧変形することで成型されている。
【００３３】
このように、硬度が異なる合成樹脂シートを重ねるに当たっては、その表裏に、いずれの合成樹脂シートを配設しても良い。
【００３４】
図１３及び図１４は、本発明を釣竿ケースに適用した第５の実施形態を示す図であり、図１３は全体構成を示す図、図１４は図１３のＣ線に沿った断面図である。
【００３５】
本実施形態の釣竿ケース３０は、釣竿などが多数本収容可能なケース本体３１と、ケース本体３１に設けられるショルダーベルト３２と、ケース本体３１に一体形成される突出部３２を備えた構成となっている。
【００３６】
ケース本体３１は、内部を収容部３１ａとする縦長の筒状に形成されており、上述した実施形態と同様、硬度の異なる合成樹脂シート１５Ａ，１５Ｂを重ね、これを熱圧変形することで成型されている。
【００３７】
本実施形態では、硬度の低い柔らかい合成樹脂シート１５Ａ（多孔質なシート１５ａの両側に、織布、或いは合成樹脂による表層１５ｂを被着することで形成）を外側とし、これに対して硬度の低い合成樹脂シート１５Ｂを内側に重ね、前記突出部３２を湾曲させた筒状となるように成型されている。そして、湾曲された部分の開口側を補助シート１５Ｃで閉塞することにより、部分的に収納部３１ａが広がるような形状に成型されている。
【００３８】
このように、本発明に係る釣り用収納体は、釣竿等を収納すべく、縦長状のケースにも適用することが可能である。
【００３９】
以上、本発明の実施形態について説明したが、本発明は、上述した実施形態に限定されることはなく、種々変形することが可能である。例えば、上記したような蓋体５の積層構造は、ケース本体２に適用したものであっても良いし、上述したような積層構造は、各種の釣り用品が収納される収納体の一部に適用したものであっても良い。
【図面の簡単な説明】
【００４０】
【図１】本発明の第１の実施形態を示す図であり、釣り用収納体である収納バッグの全体構成を示す斜視図。
【図２】図１のＡ線に沿った断面図。
【図３】蓋体部分の製造方法（成型前）を説明する断面図。
【図４】蓋体部分の製造方法（成型後）を説明する断面図。
【図５】成型された蓋体の拡大断面図。
【図６】成型された蓋体に負荷が生じた状態を示す拡大断面。
【図７】本発明の第２の実施形態を示す図であり、釣り用収納体である収納バッグの全体構成を示す斜視図。
【図８】図７のＢ線に沿った断面図。
【図９】蓋体部分の製造方法（成型前）を説明する断面図。
【図１０】蓋体部分の製造方法（成型後）を説明する断面図。
【図１１】本発明の第３の実施形態を示す図であり、収納バッグの主要部の断面構造を示す図。
【図１２】本発明の第４の実施形態を示す図であり、収納バッグの主要部の断面構造を示す図。
【図１３】本発明の第５の実施形態を示しており、釣竿ケースの全体構成を示す図。
【図１４】図１３のＣ線に沿った断面図。
【符号の説明】
【００４１】
１  収納バッグ
２  ケース本体
５  蓋体
５ａ  天部
５ｂ  スカート部
１５Ａ  合成樹脂シート（低硬度）
１５Ｂ  合成樹脂シート（高硬度）
２０，２０ａ  止着部
３０  釣竿ケース
５０，６０  上型
５１，６１  下型
【図１】
2006204116.tif 000003
【図２】
2006204116.tif 000004
【図３】
2006204116.tif 000005
【図４】
2006204116.tif 000006
【図５】
2006204116.tif 000007
【図６】
2006204116.tif 000008
【図７】
2006204116.tif 000009
【図８】
2006204116.tif 000010
【図９】
2006204116.tif 000011
【図１０】
2006204116.tif 000012
【図１１】
2006204116.tif 000013
【図１２】
2006204116.tif 000014
【図１３】
2006204116.tif 000015
【図１４】
2006204116.tif 000016